(57)【要約】【課題】  浴槽内を周状に光らせることが可能な照明付浴槽装置において、浴槽内面の光る領域と、光らない領域との境界に、光のグラデーション領域が形成されることが可能な照明付浴槽装置を提供することを目的とする。【解決手段】  透光性を有する浴槽と、前記浴槽の外方側に設けられ、前記浴槽を取り囲むように周状に配設された光源と、前記光源の外方側に設けられ、前記光源から照射された光が前記浴槽側に向かって反射するように配設された反射体と、前記反射体と浴槽との間の隙間を塞ぐように取り付けられ、前記光源からの光量を減衰させる半透明の減光体と、を備えたことを特徴とする。【選択図】  図３
2010200980.tif 000002
【特許請求の範囲】
【請求項１】
透光性を有する浴槽と、
前記浴槽の外方側に設けられ、前記浴槽を取り囲むように周状に配設された光源と、
前記光源の外方側に設けられ、前記光源から照射された光が前記浴槽側に向かって反射するように配設された反射体と、
前記反射体と浴槽との間を仕切るように取り付けられ、前記光源からの光量を減衰させる半透明の減光体と、を備えたことを特徴とする照明付浴槽。
【請求項２】
前記減光体よりも前記光源とは離れた部分と、前記浴槽との間を仕切るように取り付けられ、前記光源からの光を遮断する遮光体を備えたことを特徴とする請求項１または２記載の照明付浴槽。
【請求項３】
前記光源、前記前記反射板、前記減光体、および前記遮光体によって、前記浴槽内面が濃く光る領域と、前記浴槽内面が光らない領域との境界に、前記浴槽内面が淡く光るグラデーション領域が形成されることを特徴とする請求項２記載の照明付浴槽。
【請求項４】
前記減光体は、弾性変形可能に形成されていることを特徴とする請求項１〜３のいずれか１項に記載の照明付浴槽。
【請求項５】
前記遮光体は、弾性変形可能に形成されていることを特徴とする請求項３記載の照明付浴槽。
【請求項６】
前記光源は、複数のＬＥＤを連結した連結光源であることを特徴とする請求項１〜５のいずれか１項に記載の照明付浴槽装置。
【請求項７】
前記グラデーション領域内において、浴槽内面が濃く光る領域から淡く光る領域に向かって、浴槽裏側に配置される反射板の反射量が小さくなるようにしたことを特徴とする請求項３記載の照明付き浴槽。
【発明の詳細な説明】
【技術分野】
【０００１】
本発明は、照明を使って浴槽内を光らせることができる照明付浴槽装置に関する。
【背景技術】
【０００２】
特許文献１には、光透過性を有する浴槽の裏側に、複数本の光ファイバーを網状に編んで帯状化した光源を周設し、浴槽を周状に光らせることができる照明付浴槽装置が開示されている。
【０００３】
しかしながら、特許文献１に記載された装置において、光ファイバーは浴槽裏面の塗膜のない領域に配設されているため、浴槽内面に透光する光は、浴槽裏面の塗膜有り部位と塗膜無し部位に明瞭に明暗が区分されるため、高級感を演出できず、デザイン性にかけるという問題がある。
【０００４】
また、帯状化した光ファイバーを浴槽裏面に直接配設しているため、放光部光量にグラデーションをつけることは困難である。
【０００５】
さらに、特許文献１には、浴槽内面に透光する光の色についての記載はあるが、グラデーションについて記載の記載はなされておらず、そのための工夫点も見いだせない。
【先行技術文献】
【特許文献】
【０００６】
【特許文献１】特開２００３−３８３７５号公報
【発明の概要】
【発明が解決しようとする課題】
【０００７】
本発明の態様は、かかる課題の認識に基づいてなされたものであり、浴槽内を周状に光らせることが可能な照明付浴槽装置において、浴槽内面の光る領域と、光らない領域との境界に、光のグラデーション領域が形成されることが可能な照明付浴槽装置を提供することを目的とする。
【課題を解決するための手段】
【０００８】
上記目的を達成するために、本発明は、
透光性を有する浴槽と、
前記浴槽の外方側に設けられ、前記浴槽を取り囲むように周状に配設された光源と、
前記光源の外方側に設けられ、前記光源から照射された光が前記浴槽側に向かって反射するように配設された反射体と、
前記反射体と浴槽との間を仕切るように取り付けられ、前記光源からの光量を減衰させる半透明の減光体と、を備えたことを特徴とする。
【発明の効果】
【０００９】
本発明によれば、浴槽内を周状に光らせることが可能な照明付浴槽装置において、浴槽内面の光る領域と、光らない領域との境界に、光のグラデーション領域が形成されることが可能な照明付浴槽装置を提供することができる。
【図面の簡単な説明】
【００１０】
【図１】本発明における照明付浴槽装置の分解斜視図である。
【図２】本発明における照明付浴槽装置の平面図である。
【図３】本発明における照明付浴槽装置の特徴部を表す拡大断面図である。
【図４】本発明における照明付浴槽装置の特徴部を表す拡大断面図である。
【発明を実施するための形態】
【００１１】
以下、本発明の実施の形態について図面を参照しつつ説明する。なお、各図面中、同様の構成要素には同一の符号を付して詳細な説明は適宜省略する。  
図１は、本発明の実施の形態にかかる照明付浴槽装置の分解斜視図である。  
また、図２は、本発明の実施の形態にかかる照明付浴槽装置の平面図である。
また、図３および図４は、本発明の実施の形態にかかる照明付浴槽装置特徴部を表す拡大断面図である。
【００１２】
図１〜図３に示すように、本発明における照明付浴槽装置は、浴槽１０と、光源４０と、反射体３０と、減光体２０と、遮光体５０とを備える。
【００１３】
浴槽１０は、透光性を有する透明な材料から形成されており、内部に浴槽水を溜めることができる。また、浴槽１０の裏面側には透光性を有する着色層（例えば、乳白色）が形成されている。着色層を設けることで浴槽１０が半透明になるため、浴槽１０の裏側に配設される光源などの部材が、浴槽１０の内側からは視認できないようになる。尚、透光性を有する着色層であるため、浴槽１０裏側から光を照射することにより、浴槽１０の内面を光らせることは可能である。
【００１４】
光源４０は、複数のＬＥＤが可撓性を有する連結体によって帯状に連結されたものであり、浴槽１０の外側を取り囲むように周状に配設されている。より具体的な光源４０の取設位置は、図３に示すように、浴槽１０の底面部１１と側面部１２との境界部の裏側付近であって、浴槽１０の裏面とは間隔を空けて略水平状に配置されている。
【００１５】
反射体３０は、上面が開口された容器であり、内部に浴槽１０の下部側が収容できるようになっている。反射体３０と浴槽１０との間には空間が形成されており、空間内には光源４０が配設されている。反射体３０によって、光源４０から照射された光を浴槽１０側に反射させることができるため、反射体が無い場合に比べて、浴槽を明るく光らせることができる。
【００１６】
減光体２０は、半透明な材料から形成されており、半透光性を有している。また、減光体２０は反射体３０と浴槽１０の裏面との間の空間を仕切るように、且つ浴槽１０の外側を取り囲むように反射体３０に対して周状に固定されている。このことから、光源４０から照射された光が減光体２０を通過する際に光量が減衰し、浴槽１０の内面の発光領域にグラデーションを付けることが可能となる。また、減光体２０は、弾性変形可能なクッション性を有しており、浴槽１０を反射体３０内に収容した際に、必ず、浴槽１０外面と当接するように設計されている。このようにすることで浴槽１０と反射体３０との間の空間を隙間なく仕切ることが可能となる。図３は減光体２０が変形していない状態における浴槽１０と反射体２０との取り合いを示した図であり、図４は、実際に減光体が変形した状態を示す図である。また、減光体２０がクッション性を有することで、浴槽１０と反射体３０との間の隙間が多少ずれた場合であっても、ずれを吸収することができる。
【００１７】
遮光体５０は、遮光性を有するために色（例えば黒色）に着色されている。また、遮光体５０は、反射体３０と浴槽１０の裏面との間の空間を仕切るように、且つ浴槽１０の外側を取り囲むように反射体３０に対して周状に固定されている。さらに、遮光体５０は、減光体２０よりも光源４０から離れた位置（反射体３０の周縁側）に配設されており、減光体２０を通過した光を完全に遮る役割を果たす。遮光体５０を設けることにより、浴槽１０の内面において、発光する領域と、発光しない領域とを完全に区切ることができる。また、遮光体５０は、弾性変形可能なクッション性を有しており、浴槽１０を反射体３０内に収容した際に、必ず、浴槽１０外面と当接するように設計されている。このようにすることで浴槽１０と反射体３０との間の空間を隙間なく仕切ることが可能となる。図３は遮光体５０が変形していない状態における浴槽１０と反射体２０との取り合いを示した図であり、図４は、実際に遮光体５０が変形した状態を示す図である。また、遮光体５０が、クッション性を有することで浴槽１０と反射体３０との間の隙間が多少ずれた場合であっても、ずれを吸収することができる。
【００１８】
上記構成により、浴槽１０の内面が濃く光る領域１００（減光体２０を通過していない光により発光する部分）と、浴槽１０の内面が光らない領域１１０（遮光体５０によって、光が遮ぎられている部分）との間に、浴槽１０の内面が淡く光るグラデーション領域１２０（減光体を通過した光により発光する部分）が形成されることとなる。
【００１９】
また、本実施形態によれば、グラデーション領域１２０の中でさらに段階的に濃淡が付くようにしている。具体的には、減光体２０を図４のような形状にすることで、浴槽１０の外面と反射体３０と遮光体とによって形成される空間を３つ空間（第１の空間２００、第２の空間２１０、第３の空間２２０）に分割している。
【００２０】
第１の空間２００は、上述した濃く光る領域１００（減光体２０を通過していない光により発光する部分）を形成している浴槽裏側空間であり、光源４０が収容される空間である。第２の空間２１０は、反射体３０と減光体２０とによって囲まれている空間であり、上述したグラデーション領域１２０を形成している浴槽裏側空間の一部である。この第２の空間２１０は、減光体２０を通過することで減衰した光によって浴槽１０の内面を光らせることができる。尚、第２の空間２１０には、反射体３０があるため、第２の空間２１０内の光は反射体３０によって浴槽１０側に向かって反射することとなる。第３の空間２２０は、減光体２０と浴槽１０の外面と、遮光体５０とによって囲まれている空間であり、上述したグラデーション領域１２０を形成している浴槽裏側空間の一部である。この第３の空間２２０は、第２の空間２１０からさらに減光体２０を通過した光のみが入光するため、第２の空間２１０より入光量が絶対的に小さくなる。また、第３の空間２２０は、減光体２０の一部によって反射体３０が覆われている。さらに、反射体３０を覆っている部分の減光体２０は、遮光性を有する色（例えば黒色）に着色されている。つまり、第３の空間２２０内には、反射体３０が存在しないこととなるため、第２の空間２１０よりもさらに淡く光るようになる。
【００２１】
このように反射体３０による反射量を、浴槽が光らない領域に向かって小さくすることによって、グラデーション領域内において段階的に濃淡を作り出すことが可能となる。
【符号の説明】
【００２２】
１０…浴槽、２０…減光体、３０…反射体、４０…光源、５０…遮光体、１００…濃く光る領域、１１０…光らない領域、１２０…グラデーション領域、２００…第１の空間、２１０…第２の空間、２２０…第３の空間、
【図１】
2010200980.tif 000003
【図２】
2010200980.tif 000004
【図３】
2010200980.tif 000005
【図４】
2010200980.tif 000006